(57)【特許請求の範囲】
【請求項１】
胴部（２）より肩部（３）を介して口頸部（４）を起立するとともに、胴部（２）内周底部に周縁部を摺動上昇可能に嵌合させた可動底壁（７）を有する容器体（Ａ）と、口頸部（４）外周に装着キャップ（21）を螺着して容器体（Ａ）上端部に装着したポンプ（Ｂ）とを備え、ポンプ（Ｂ）の作動による容器体（Ａ）内の液の減量に伴い可動底壁（７）が上昇する如く構成した液体吐出器に於いて、ポンプ（Ｂ）を螺動下降可能な位置に螺着するとともに、容器体（Ａ）に第１遮光層（10）及び第２遮光層（11）を設け、第１遮光層（10）は、肩部（３）裏面を被覆し且つ口頸部（４）下端開口を閉塞し、中央部を下方へ凹ませてポンプ（Ｂ）の下端部が挿入可能な凹部（13）を設けてなり、第２遮光層（11）は、胴部（２）を被覆して設けてなり、ポンプ（Ｂ）を螺動下降させてその下端部に設けた切断刃（27）により第１遮光層（10）が破断されて容器体（Ａ）内とポンプ（Ｂ）内とが連通する如く構成したことを特徴とする液体吐出器。
【請求項２】
前記可動底壁（７）の裏面を被覆して第３遮光層（12）を設けてなる請求項１記載の液体吐出器。
【請求項３】
前記各第１遮光層（10），第２遮光層（11）及び第３遮光層（12）を金属薄膜層の単層或いは金属薄膜層と合成樹脂層との積層で構成してなる請求項２記載の液体吐出器。
【発明の詳細な説明】
【技術分野】
【０００１】
本発明は液体吐出器に関し、詳しくは、外気との接触を好まず、また、光との接触を好まない収納物の保管，吐出に好適な液体吐出器に関する。
【背景技術】
【０００２】
外気との接触を極力避けて収納物を保存し、吐出する形態の液体吐出器が提案されている（例えば、特許文献１参照）。
【０００３】
上記液体吐出器は、胴部より肩部を介して口頸部を起立するとともに、胴部内周底部に周縁部を摺動上昇可能に嵌合させた可動底壁を有する容器体と、上記口頸部内に下端のシリンダを垂設して容器体に装着したポンプとを備え、ポンプの作動による容器体内の液の減少に伴い可動底壁が上昇する如く構成している。
【０００４】
また、収納物が光との接触を避けるために、遮光層を設けた容器も提案されている（例えば、特許文献２参照）。ここに示されている容器は、その図面にある如く、コップ状容器の外周に、着色材を含有する遮光性の塗工層を形成してなる遮光性ラベルが貼着されている。或いはボトル状容器の胴部外周に同様の遮光性ラベルが貼着されている。
【特許文献１】特開２００４−１８１７号公報
【特許文献２】特開平１０−１０１１４９号公報
【発明の開示】
【発明が解決しようとする課題】
【０００５】
上記特許文献１に示された液体吐出器では液の減少に伴い可動底壁が上昇するため、容器体内の収納室内は常時液が充満した状態を維持でき、空気との接触は極力防止できる優れた性能を有するものである。この種の吐出器に収納する収納物には外気との接触を嫌うだけでなく、光の照射も嫌うものがあり、光に当たると変質したり、性能が劣化する虞れのあるものがある。
【０００６】
本発明では上記した引用文献２に記載の遮光性ラベル等により形成される遮光層の形態を更に改良して、容器体内の収納物に対して確実に光を遮断して収納物の保護を図ることができ、特に使用前の収納物に対する光の遮断を完璧にするとともに、使用後も充分な遮光性を発揮できる液体吐出器を提案する。また、遮光性に加えて使用前の収納物の容器体からの成分透過を防止でき、更に、密閉された容器体収納部の開封が容易に行われる液体吐出器を提案するものである。
【課題を解決するための手段】
【０００７】
本発明の液体吐出器は、容器体と、ポンプとを備えている。
【０００８】
容器体は筒状胴部から肩部を介して口頸部を起立した形態のもので、口頚部外周には雄螺子を周設している。また、胴部内底部には周縁部を摺動上昇可能に嵌合させた可動底壁を備えており、吐出に伴う容器体内の液の減少に際して負圧で可動底壁が上昇する如く構成している。従って容器体胴部の内周は少なくとも可動底壁が摺動する部分では上から下まで同径に形成する。容器体は合成樹脂により形成されたもので、その具体的材質としては、例えばポリエチレン，ポリプロピレン，ポリエチレンテレフタレート等の従来からこの種の吐出器に使用されている樹脂が使用でき、適宜選択して使用する。
【０００９】
容器体の肩部裏面に周縁部を固着するとともに、口頸部の下端開口を閉塞して第１遮光層を設けている。この第１遮光層は外光を遮断する遮光性を備えたもので、外周縁は少なくとも肩部の外周縁部分まで存在させて肩部の裏面全体を被覆する如く構成する。また、好ましくは、第２遮光層との臨界部分を充分に補う目的で胴部の上端部まで外周縁部を延ばして形成すると良い。また、中央部分は使用に当たりポンプ下端部により押圧破断される部分であり、その部分にポンプ下端部が挿入可能な凹部を形成しておくと良い。
【００１０】
また、第１遮光層は、充分な遮光性を備えた上で比較的容易に押圧破断できる材質或いは厚みのものが使用される。例えば、金属箔や金属薄膜層を積層した合成樹脂フィルム，或いは遮光性フィルム等が挙げられる。金属薄膜層を構成する金属としては代表的にはアルミニウムが好適であるが、収納物との相性或いは毒性の有無等の要素を考慮して、鉄、銅、ニッケル、その他合金等種々の材質を採用できる。遮光性フィルムとしては、上記容器体を形成する樹脂と同様種類の基材樹脂に遮光性に優れた黒色系の顔料，染料或いは酸化鉄等の無機物等を混練分散したものが使用できる。第１遮光層を容器体に固着する手段としては、所定形状に形成した第１遮光層を溶着，接着，転写等の適宜固着手段を採用できるが、インサート成形により容器体と同時に形成する方法が好ましく採用できる。
【００１１】
また、容器体胴部にも第２遮光層を設けている。この第２遮光層も比較的容易に破断できる点を除いて第１遮光層と同様の材質，形態，固着手段で形成されるが、破断する必要がないため胴部外周への直接の金属蒸着層の採用も可能であり、また、上記顔料等を含む樹脂組成物を直接塗布することも可能であり、胴部部分に中間層として形成することも可能である。尚、胴部外周に装飾や商品名の表示，説明等を付与する場合には、第２遮光層の表面に直接或いは保護層等を介して印刷等の適宜塗布手段により行えば良い。
【００１２】
可動底壁にも第３遮光層を設けると良い。液体吐出器を起立状態で載置している場合に、第１，第２の各遮光層によって容器体内収納部への光の遮断は充分行えるが、手で持っての使用の際にもこの第３遮光層の存在で確実に光の遮断を行える如くしたものである。第３遮光層も第２遮光層と同様の材質，形態，固着手段で形成することができる。
【００１３】
尚、上記各第１乃至第３遮光層に金属蒸着層や金属箔等の金属薄膜層或いは金属薄膜層と合成樹脂層との積層構造を用いた場合には、成分透過防止機能も同時に発揮する。この成分透過機能とは、収納物が揮発性の高い液の場合に容器体の壁部を通過して揮散するのを防止する機能であり、一般にガスバリアー性と呼ばれるもので、第１乃至第３の全ての遮光層をこの金属薄膜層で形成した場合に有効に発揮される。
【００１４】
ポンプは、容器体口頸部外周に螺動下降が可能に装着キャップを螺着し、下端部のシリンダを容器体内に垂下した状態で容器体に装着したものであり、また、シリンダ上端に突出したステムの上端に押し下げヘッドを嵌着してこの押し下げヘッドの上下動操作により容器体内の液吸い上げてヘッドの吐出口から吐出する如く構成した公知のポンプ機構を内蔵したものである。内蔵ポンプ機構に関してはその種類を問わない。
【００１５】
ポンプはその下端部により第１遮光層を押圧破断するため、最初所定位置より上方に位置させており、開封に当たって螺動下降させ、その下端部により第１遮光層を押圧破断する如く構成している。その為好ましくは、装着キャップの螺動下降を防止するスペーサを設けておくと良い。スペーサーは装着キャップと容器体或いは容器体上の台座との間に介在させて、取り外しが容易に装着しておくと良い。
【００１６】
上記課題を解決するための第１の手段として、胴部２より肩部３を介して口頸部４を起立するとともに、胴部２内周底部に周縁部を摺動上昇可能に嵌合させた可動底壁７を有する容器体Ａと、口頸部４外周に装着キャップ21を螺着して容器体Ａ上端部に装着したポンプＢとを備え、ポンプＢの作動による容器体Ａ内の液の減量に伴い可動底壁７が上昇する如く構成した液体吐出器に於いて、ポンプＢを螺動下降可能な位置に螺着するとともに、容器体Ａに第１遮光層10及び第２遮光層11を設け、第１遮光層10は、肩部３裏面を被覆し且つ口頸部４下端開口を閉塞し、中央部を下方へ凹ませてポンプＢの下端部が挿入可能な凹部13を設けてなり、第２遮光層11は、胴部２を被覆して設けてなり、ポンプＢを螺動下降させてその下端部に設けた切断刃27により第１遮光層10が破断されて容器体Ａ内とポンプＢ内とが連通する如く構成したことを特徴とする液体吐出器。
【００１７】
第２の手段として、前記第１の手段に於いて、前記可動底壁７の裏面を被覆して第３遮光層12を設けた。
【００１８】
第３の手段として、前記第２の手段に於いて、前記各第１遮光層10，第２遮光層11及び第３遮光層12を金属薄膜層の単層或いは金属薄膜層と合成樹脂層との積層で構成した。
【発明の効果】
【００２１】
本発明の液体吐出器は、容器体Ａに第１遮光層10及び第２遮光層11を設けているため、外光を遮断でき、収納液が光によって影響を受け易い場合には好適である。また、容器体Ａの液収納部は上端部を第１遮光層10により閉塞されているため、開封前には外気との接触を確実に防止でき、開封後も可動底壁７が液の減少に伴って上昇するため、容器体内に外気が浸入する虞れはなく、外気との接触に不都合な収納物の収納にも好適である。更に、開封に当たってはポンプの装着キャップ21を螺動下降させるという簡単な操作により第１遮光層10が破断して容器体Ａ内とポンプＢ内とが連通するため、取り扱い操作も簡単である。
【００２２】
可動底壁７の裏面を被覆して第３遮光層12を設けた場合には、使用時に容器を持ち上げて底部が外光に曝されても確実に収納液への遮光作用を発揮できる。
【００２３】
前記各第１遮光層10，第２遮光層11及び第３遮光層12を金属薄膜層の単層或いは金属薄膜層と合成樹脂層との積層で構成した場合には、容器体Ａのガスバリアー性もより強化されるため、収納液のより安定した状態を確実に維持することができる。
【００２４】
前記第１遮光層10の中央部を凹ませてポンプＢの下端部が挿入可能な凹部13を設けた場合には、第１遮光層10の破断の際に仮に第１遮光層10に不都合な亀裂が生じても凹部13内に止まり、第１遮光層10がへたって上方からの遮光性を損なう等の不都合をより確実に防止できる。
【００２５】
前記ポンプＢの下端部に切断刃27を設けた場合には、第１遮光層10の破断がより容易に行えて、開封操作がより円滑となり、また、第１遮光層10の厚みを必要に応じて厚みのあるものとしてもその開封操作は容易である。
【発明を実施するための最良の形態】
【００２６】
以下、本発明の実施例の形態を図面を参照して説明する。
【００２７】
図１乃至図３は本発明の液体吐出器の一例を示し、液体吐出器１は、容器体Ａと、ポンプＢとを備えている。
【００２８】
容器体Ａは合成樹脂により形成されたもので、筒状胴部２上端より肩部３を介して口頸部４を起立しており、口頸部４外周には雄螺子５を周設している。また、胴部２の下端開口を閉塞して底蓋６を嵌着している。底蓋６は、胴部２下端開口部を閉塞する蓋板部6aの上面周縁より立設した嵌合筒部6bを胴部２内周下端部に嵌合させ、また、蓋板部6a上面中央部には支持筒部6cを一体に立設している。更に、胴部２内底部には、周縁部を摺動上昇可能に嵌合させた可動底壁７を設けている。可動底壁７は、胴部２内周に摺動上昇可能に嵌合させた摺動部7aを備え、摺動部7aから底板部7bを延設している。摺動部7aは筒状の基部の上下よりそれぞれ上部スカート及び下部スカートを突設して構成している。底板部7bはその周縁部を上方に環状に隆起させて構成している。また、肩部３上には後述スペーサーを支持するための台座８を嵌着固定している。台座は肩部３上面周縁部に下端を当接載置させた周壁8aの上端より内方へフランジ状の頂壁8bを延設し、該頂壁8bの内周縁より口頸部４外周に突周設した突条30下部に嵌合させた内周壁8cを垂設している。
【００２９】
容器体Ａには第１遮光層10，第２遮光層11，第３遮光層12の三つの遮光層を設けている。第１遮光層10は、肩部３裏面に周縁部を固着して口頸部４下端部を閉塞している。尚、図示例では第２遮光層11との臨界部分を確実に覆うために胴部２の上端部に至る部分迄第１遮光層10の周縁部を延設している。また、第１遮光層10の中央部には凹部13を設けており、この凹部13に後述するシリンダの下端部が挿入可能に構成している。第２遮光層11は胴部外周を被覆して設けられており、前記第１遮光層10とで下面を除く液収納部分全体を被覆しており、液体吐出器１を机上等の載置部位に載置した状態ではこの第１及び第２遮光層によって外光を遮断できる如く構成している。第３遮光層12は可動底壁７の下面に設けており、摺動部7aの下部スカート部分を除いて設けられている。第１遮光層10乃至第３遮光層12はアルミ薄膜層を積層した合成樹脂フィルムで形成されており、第１遮光層10及び第２遮光層11は容器体胴部２の形成時にそれぞれインサート成形により所定位置に設けられ、また、第３遮光層12は可動底壁７の形成時にインサート成形により形成されている。
【００３０】
ポンプＢは、公知のポンプ機構を備えて容器体Ａ内の液を汲み上げて吐出するもので、口頸部４外周の雄螺子５に螺合する雌螺子20を内周に設けた装着キャップ21を、その螺動下降が可能な位置に螺着し、また、口頸部４内に下端のシリンダ22を垂下した状態で容器体Ａに装着している。また、シリンダ22の上端開口から上方付勢状態で押し込み可能に突設したステム23の上端に押し下げヘッド24を嵌着し、押し下げヘッド24には容器体Ａ内と連通する吐出口25を設けている。そして、押し下げヘッド24の上下動操作により内蔵ポンプ機構の作用で、容器体Ａ内の液をシリンダ22下端の吸引口26より吸い上げてステム23を介し吐出口25より吐出する如く構成している。
【００３１】
また、シリンダ22の下端の吸引口26周囲には環状の切断刃27を垂設している。この切断刃27はシリンダ22の底面より若干下方に突出した状態で設けられており、前記第１遮光層10の凹部13内に垂下している。また、装着キャップ21と台座８との間にはスペーサー28を介在させており、該スペーサー28を取り除かない限り、装着キャップ21のそれ以上の螺動下降が行えないように構成している。スペーサー28は開環状をなし、口頸部４側方より着脱が可能に構成している。尚、図中29はパッキンを示す。
【００３２】
上記の如く構成した液体吐出器１は、図２(a) に拡大図で示す図１の状態からスペーサー28を取り外した後、装着キャップ21を螺動下降させると、図２(b) に拡大図で示す図３の状態となり、シリンダ22の下端部の切断刃27により第１遮光層10が切断されて容器体Ａ内とポンプＢ内とが連通する。この状態から押し下げヘッド24を上下動させることにより内蔵ポンプ機構の作用で容器体Ａ内の液をシリンダ22下端の吸引口26より吸い上げ、押し下げヘッド24の吐出口25より吐出する。
【図面の簡単な説明】
【００３３】
【図１】本発明液体吐出器の半断面図である。（実施例１）
【図２】本発明液体吐出器の作用を説明する説明図である。（実施例１）
【図３】本発明液体吐出器の開封後の状態の半断面図である。（実施例１）。
【符号の説明】
【００３４】
２…胴部，３…肩部，４…口頸部，７…可動底壁，10…第１遮光層，
11…第２遮光層，12…第３遮光層，13…凹部，21…装着キャップ，27…切断刃，
Ａ…容器体，Ｂ…ポンプ，                                                    
【図１】
0004811854.tif 000002
【図２】
0004811854.tif 000003
【図３】
0004811854.tif 000004